(57)【要約】【課題】検査等に際して、検査・治療用パンツの孔部の位置や大きさを被検査者の検査部位に対応して選択できるようにする。【解決手段】検査・治療用パンツ１０は不織布などによる使い捨てのパンツであり、胴部１１の下方にそれぞれ脚を挿入する脚挿入部１２、１３が設けられている。脚挿入部１２、１３間の股部１４の下部から上部にかけて、連結部と切込線の繰り返しによる線状の第１の破断線１５が設けられ、股部１４の前方の下部から上方にかけて、同様の第２の破断線１６が設けられている。そして、第１、第２の破断線１５、１６同士は下部において連結している。  被検査者に対して、医師や看護師は着用している検査・治療用パンツ１０の第１、第２の破断線１５、１６の少なくとも一方を、必要な大きさに破断することにより孔部を形成し、この孔部を介して内視鏡スコープ等を体内に挿入して検査等を行う。【選択図】図２
2018127733.tif 000002
【特許請求の範囲】
【請求項１】
トランクス型の検査・治療用パンツであって、股部の近傍に線状の破断線を設け、該破断線を破って検査・治療のための孔部を設けることを特徴とする検査・治療用パンツ。
【請求項２】
後方の前記股部の下部から上方にかけて後方用の前記破断線を設けたことを特徴とする請求項１に記載の検査・治療用パンツ。
【請求項３】
前方の前記股部の下部から上方にかけて前方用の前記破断線を設けたことを特徴とする請求項２に記載の検査・治療用パンツ。
【請求項４】
前記後方用の破断線と前記前方用の破断線は前記股部の下部において連結していることを特徴とする請求項３に記載の検査・治療用パンツ。
【請求項５】
前記破断線は切込線と連結部との繰り返しによるミシン目状としたことを特徴とする請求項１〜４の何れか１項に記載の検査・治療用パンツ。
【請求項６】
前記破断線の近傍の縫合は、前記破断線の脇に設けた縫代片を用いて行うことを特徴とする請求項１〜５の何れか１項に記載の検査・治療用パンツ。
【発明の詳細な説明】
【技術分野】
【０００１】
本発明は、検査や治療の際に被検査者が着用する検査・治療用パンツに関するものである。
【背景技術】
【０００２】
例えば、病院等における内視鏡スコープによる大腸や直腸の検査時においては、被検査者は検査用パンツを着用して検査を受けるのが通常である。
【０００３】
従来から、特許文献１の図２１に示すような検査用パンツが多く用いられている。
【０００４】
この検査用パンツにおいては図５に示すように、トランクス型の検査用パンツ１の後部には切込み２が設けられている。この切込み２には、大腸・直腸検査の際に内視鏡スコープを肛門に挿入できるように縫合がなされていない。
【先行技術文献】
【特許文献】
【０００５】
【特許文献１】特開２０１４−２３７９１３号公報
【発明の概要】
【発明が解決しようとする課題】
【０００６】
しかし、この検査用パンツ１の切込み２の位置は予め決まっているので、被検査者の体格等によっては、内視鏡スコープを挿入する肛門に対する位置がずれてしまうことがある。
【０００７】
このような場合には、ハサミにより切込み２を拡げるとか、縫合を解いて切込み２を大きくして使用する必要があり、手間を必要とする。
【０００８】
また、検査用パンツ１には予め切込み２が設けられているので、この検査用パンツ１を着用して検査室等に入室するには、女性などは若干の羞恥心を持つことがある。
【０００９】
本発明の目的は、上述の課題を解消し、検査等に際して、孔部の位置や大きさを被検査者の検査部位に対応して選択できる検査・治療用パンツを提供することにある。
【課題を解決するための手段】
【００１０】
上記目的を達成するための本発明に係る検査・治療用パンツは、トランクス型の検査・治療用パンツであって、股部の近傍に線状の破断線を設け、該破断線を破って検査・治療のための孔部を設けることを特徴とする。
【発明の効果】
【００１１】
本発明に係る検査・治療用パンツによれば、検査等の直前において、必要に応じて破断線を破り、孔部の位置や大きさを調整することができる。
【図面の簡単な説明】
【００１２】
【図１】後方から見た実施例の検査・治療用パンツの斜視図である。
【図２】前方から見た斜視図である。
【図３】検査・治療用パンツの縫製前の生地の展開図である。
【図４】縫製手順の説明図である。
【図５】従来の検査用パンツの斜視図である。
【発明を実施するための形態】
【００１３】
本発明を図１〜図４に図示の実施例に基づいて詳細に説明する。
図１は後方から見た実施例の検査・治療用パンツの斜視図、図２は前方から見た斜視図である。
【００１４】
この検査・治療用パンツ１０はトランクス型の使い捨てのパンツであり、円筒状の胴部１１の下方に、それぞれ脚を挿入する円筒状の脚挿入部１２、１３が連続して設けられている。
【００１５】
検査・治療用パンツ１０の形状はトランクス型であり、Ｓ、Ｍ、Ｌのサイズに応じたものを製造することが好ましく、Ｍサイズでは例えば長さ５６ｃｍ、股下３０ｃｍ程度である。更には、男性用、女性用、子供用のサイズのものを用意することもできる。
【００１６】
また、検査・治療用パンツ１０に使用する生地として、天然繊維、合成繊維、又は天然繊維や合成繊維の組み合わせや、不織布を採用している。合成繊維は熱硬化性重合体、例えばポリアクリレート類、或いはポリアミド類、ポリエステル類、またはポリオレフィン類、例えばポリプロピレンもしくはポリエチレン、を包含する熱可塑性重合体、それらの誘導体、並びにそれらの組み合わせから選択することができる。また、天然繊維は、性質がセルロース系のもの、例えば木綿、木材パルプを用いることができる。また、これらの不織布に吸水性ポリマーを含有する構造にしてもよい。
【００１７】
脚挿入部１２、１３間の股部１４の後方の下部から上部にかけて、長さ１０ｍｍ程度の切込線と長さ５ｍｍ程度の連続部の繰り返しによるミシン目状であり、長さ２０ｃｍ程度の線状の第１の破断線１５が設けられている。また、股部１４の前方の下部から上方にかけて、同様の長さ１５ｃｍ程度の第２の破断線１６が設けられている。そして、第１、第２の破断線１５、１６同士は下部において連結している。
【００１８】
ここで、後方用の第１の破断線１５は肛門に内視鏡スコープ等を挿入するための孔部を形成するためのものであり、前方用の第２の破断線１６は例えば泌尿器の治療等に使用する孔部を形成するためのものである。また、鼠径部の治療などにあっても、第１、第２の破断線１５、１６を連続して破断することもある。
【００１９】
胴部１１の上縁にはゴム紐が挿通されており、着用時に検査・治療用パンツ１０がずり落ちないようにされている。なお、ゴム紐の代りに縛着用の紐を取り付けることもできる。
【００２０】
図３はこの検査・治療用パンツ１０の縫製前の生地を断裁した状態の展開図であり、検査・治療用パンツ１０は第１、第２の断裁パーツ２１、２２から成り、これらの第１、第２の断裁パーツ２１、２２同士を縫製する。
【００２１】
第１、第２の断裁パーツ２１、２２の双方により胴部１１が縫製され、第１の断裁パーツ２１により脚挿入部１２が縫製され、第２の断裁パーツ２２により脚挿入部１３が縫製され、図１、図２に示すような１個の検査・治療用パンツ１０が作成される。
【００２２】
第１の断裁パーツ２１には、ミシン目状に破断し易くされた第１、第２の破断線１５、１６が予め形成されており、第１、第２の破断線１５、１６の近傍にはそれぞれ帯状の第１、第２の縫代片２１a、２１ｂが形成されている。また、第２の断裁パーツ２２は第１の断裁パーツ２１の縫代片２１a、２１ｂに対応する位置に小幅の縫代片２２a、２２ｂが形成されている。
【００２３】
また、第１の断裁パーツ２１においては、４個所に縫合部２１ｃ〜２１ｆが設けられており、縫合部２１ｃ〜２１ｆに対応する第２の断裁パーツ２２の位置には４個所の縫合部２２ｃ〜２２ｆが設けられている。
【００２４】
縫合に際しては、図４に示すように第１、第２の断裁パーツ２１、２２同士を対向させて、縫代片２１ａと２２ａ、縫代片２１ｂと２２ｂ、縫合部２１ｃと２２ｃ、縫合部２１ｄと２２ｄを縫合して胴部１１を形成し、縫合部２１eと２１ｆを縫合して脚挿入部１２を形成し、縫合部２２eと２２ｆを縫合して脚挿入部１３を形成する。
【００２５】
このように対応部分を縫合し、この縫合の後に胴部１１の上縁にゴム紐を縫い付けることで、図１、図２に示す検査・治療用パンツ１０が作成される。
【００２６】
被検査者は素肌の上に、この検査・治療用パンツ１０を着用し、検査台上に横になって検査を受ける。被検査者に対して、医師や看護師は着用している検査・治療用パンツ１０の第１、第２の破断線１５、１６の少なくとも一方を、必要な大きさに破断することにより孔部を形成し、この孔部を介して内視鏡スコープ等を体内に挿入して検査等を行う。
【００２７】
第１の断裁パーツ２１の第１、第２の破断線１５、１６の近傍には、縫代片２１a、２１ｂが設けられていて、第２の断裁パーツ２２との縫合に際しては、第２の断裁パーツ２２の縫代片２２a、２２ｂに対応させるので、第１、第２の破断線１５、１６は縫合線に沿って位置し、破断は支障なく行うことができ、任意の個所、大きさの孔部を容易に開けることができる。
【００２８】
この検査・治療用パンツ１０のように、後方及び前方にそれぞれ破断線を設けておけば、大腸内視鏡による検査、泌尿器に対する治療にそれぞれ適用できるので、専用のパンツを容易しなくともよい。
【００２９】
なお、検査・治療用パンツ１０の多くは、第１の破断線１５のみを使用することから、第２の破断線１６は省略することもできる。或いは、検査・治療用パンツ１０には第２の破断線１６のみを設けることもある。
【符号の説明】
【００３０】
１０  検査・治療用パンツ
１１  胴部
１２、１３  脚挿入部
１４  股部
１５、１６  破断線
２１、２２  断裁パーツ
２１ａ、２１ｂ、２２a、２２ｂ  縫代片
２１ｃ〜２１ｆ、２２ｃ〜２２ｆ  縫合部
【図１】
2018127733.tif 000003
【図２】
2018127733.tif 000004
【図３】
2018127733.tif 000005
【図４】
2018127733.tif 000006
【図５】
2018127733.tif 000007